(57)【要約】      （修正有）【課題】包装用箱と中仕切りを個別に組み立てることなく一般的な箱詰機でも使用することができ、廃棄の手間も掛からない包装用箱と中仕切りが一体となった包装用箱を提供する。【解決手段】４枚の外周壁を構成し連設された第１側板１から第４側板４と、第４側板４に連設され第１側板１に貼着される貼着板５と、貼着板５に連設され第１側板１から第４側板４により囲まれた収容空間を仕切る仕切り板６などが横一方向に折目を介して順次連設されており、仕切り板６が、切断線６１を介して表裏に逆向きに加えられた力により引き起こされ、第２側板２及びに第４側板４に固着される第１固着部６２及び第２固着部６３と、第１固着部６２と第２固着部６３と折目を介して連設され収容空間を仕切る仕切り片６４を形成する。【選択図】図１
2019001468.tif 000002
【特許請求の範囲】
【請求項１】
４枚の外周壁を構成し連設された第１側板（１）、第２側板（２）、第３側板（３）、第４側板（４）と、
前記第４側板（４）に連設され、前記第１側板（１）に貼着される貼着板（５）と、
前記貼着板（５）に連設され、前記第１側板（１）、前記第２側板（２）、前記第３側板（３）及び前記第４側板（４）により囲まれた収容空間（Ｓ）を仕切る仕切り板（６）と、
前記第１側板（１）及び前記第３側板（３）の上下辺に折目を介して連設された上フラップ片（１１、３１）、下フラップ片（１２、３２）と、
前記第２側板（２）及び前記第４側板（４）の上下辺に折目を介して連設された蓋フラップ片（２１、４１）、底フラップ片（２２、４２）と、
を備え、
前記第１側板（１）、前記第２側板（２）、前記第３側板（３）、前記第４側板（４）、前記貼着板（５）、前記仕切り板（６）が横一方向に折目を介して順次連設されており、
前記仕切り板（６）が、横方向に切断された切断線（６１）を介して表裏に逆向きに加えられた力により引き起こされ、前記第２側板（２）に固着される第１固着部（６２）と、前記第４側板（４）に固着される第２固着部（６３）と、前記第１固着部（６２）と前記第２固着部（６３）と折目を介して連設され前記収容空間（Ｓ）を仕切る仕切り片（６４）を形成し、
前記仕切り板（６）の下端部が前記第２側板（２）及び前記第４側板（４）の下端部より上方に位置することを特徴とする中仕切付包装用箱。
【請求項２】
前記仕切り片（６４）が、前記第１固着部（６２）と前記第２固着部（６３）と折目を介して複数連設されていることを特徴とする請求項１に記載の中仕切付包装用箱。
【請求項３】
前記仕切り片（６４）が上方から下方に向かう凹状の保持部（６５）を有することを特徴とする請求項１又は請求項２に記載の中仕切付包装用箱。
【請求項４】
前記貼着板（５）が、上下幅が前記第４側板（４）側より前記仕切り板（６）側で狭くなっていることを特徴とする請求項１から請求項３に記載の中仕切付包装用箱。
【請求項５】
前記第１側板（１）及び前記第３側板（３）と前記上フラップ片（１１、３１）の間の折目と、前記第２側板（２）と前記蓋フラップ片（２１）との折目が、分離可能である破断線（７）を包含することを特徴とする請求項１から請求項４に記載の中仕切付包装用箱。
【発明の詳細な説明】
【技術分野】
【０００１】
本発明は、特に食品、飲料、医薬品等を収納した比較的長さ寸法の大きい長尺状物品を収容する容器に関するものである。
【背景技術】
【０００２】
従来、破損しやすい物品を外部から与えられる衝撃から守るために、緩衝機能を備えた中仕切りを備えた包装用箱が使用される。例えば、食品、飲料、医薬品等を収納した長尺状物品を収容する中仕切りとして、いわゆるロンドレーションと呼ばれるものがある。当該ロンドレーションは、波状の形状によって物品を挟んで収納するものである。
【０００３】
例えば、４枚の外周壁を構成する第１側板から第４側板及び糊代片を折線を介して横一方向に順次連接し、前記第１側板の下端には、折線を介して第１糊代付き仕切り板を設け、前記第１糊代付き仕切り板の左右端のいずれか一方には、前記第１側板との間に間隔を有するとともに、切断線を介して第２糊代付き仕切り板を設けられて組み立てられた中仕切りを容器の内部に収容する包装用箱が公知である（特許文献１参照）。
【先行技術文献】
【特許文献】
【０００４】
【特許文献１】特開２０１５−１１３１５８号
【発明の概要】
【発明が解決しようとする課題】
【０００５】
しかしながら、上記構造では、包装用箱と中仕切りが分離されているため、一般的な箱詰機を用いて内容物を箱詰するに際して事前にそれぞれ別個に組み立てる工程が増えることにより生産コストが増加し、廃棄するときにも包装用箱と中仕切りを分離しないと嵩が減らないので包装用箱から中仕切りを取り出すことが手間であるという課題があった。
【０００６】
そこで、本発明はこのような問題点を解決するものであって、食品、飲料、医薬品等を収納した比較的長さ寸法の大きい長尺状物品における上下、前後、左右の全方向に対して高い緩衝機能を備えながらも、包装用箱と中仕切りを組み立てることなく一般的な箱詰機でも使用することができ、廃棄の手間も掛からない包装用箱と中仕切りが一体となった包装用箱を提供することを課題とする。
【課題を解決するための手段】
【０００７】
前記問題点を解決するために、本発明の請求項１に記載の中仕切付包装用箱は、４枚の外周壁を構成し連設された第１側板（１）、第２側板（２）、第３側板（３）、第４側板（４）と、前記第４側板（４）に連設され、前記第１側板（１）に貼着される貼着板（５）と、前記貼着板（５）に連設され、前記第１側板（１）、前記第２側板（２）、前記第３側板（３）及び前記第４側板（４）により囲まれた収容空間（Ｓ）を仕切る仕切り板（６）と、前記第１側板（１）及び前記第３側板（３）の上下辺に折目を介して連設された上フラップ片（１１、３１）、下フラップ片（１２、３２）と、前記第２側板（２）及び前記第４側板（４）の上下辺に折目を介して連設された蓋フラップ片（２１、４１）、底フラップ片（２２、４２）と、を備え、前記第１側板（１）、前記第２側板（２）、前記第３側板（３）、前記第４側板（４）、前記貼着板（５）、前記仕切り板（６）が横一方向に折目を介して順次連設されており、前記仕切り板（６）が、横方向に切断された切断線（６１）を介して表裏に逆向きに加えられた力により引き起こされ、前記第２側板（２）に固着される第１固着部（６２）と、前記第４側板（４）に固着される第２固着部（６３）と、前記第１固着部（６２）と前記第２固着部（６３）と折目を介して連設され前記収容空間（Ｓ）を仕切る仕切り片（６４）を形成し、前記仕切り板（６）の下端部が前記第２側板（２）及び前記第４側板（４）の下端部より上方に位置することを特徴とするものである。
【０００８】
また、本発明の請求項２に記載の中仕切付包装用箱は、請求項１に記載の中仕切付包装用箱において、前記仕切り片（６４）が、前記第１固着部（６２）と前記第２固着部（６３）と折目を介して複数連設されているものである。
【０００９】
また、本発明の請求項３に記載の中仕切付包装用箱は、請求項１又は請求項２に記載の中仕切付包装用箱において、前記仕切り片（６４）が上方から下方に向かう凹状の保持部（６５）を有するものである。
【００１０】
また、本発明の請求項４に記載の中仕切付包装用箱は、請求項１から請求項３のいずれか１項に記載の中仕切付包装用箱において、前記貼着板（５）が、上下幅が前記第４側板（４）側より前記仕切り板（６）側で狭くなっているものである。
【００１１】
また、本発明の請求項５に記載の中仕切付包装用箱は、請求項１から請求項４のいずれか１項に記載の中仕切付包装用箱において、前記第１側板（１）及び前記第３側板（３）と前記上フラップ片（１１、３１）の間の折目と、前記第２側板（２）と前記蓋フラップ片（２１）との折目が、分離可能である破断線（７）を包含するものである。
【発明の効果】
【００１２】
本発明の包装用箱では、食品、飲料、医薬品等を収納した比較的長さ寸法の大きい長尺状物品における上下、前後、左右の全方向に対して高い緩衝機能を備えながらも、包装用箱と中仕切りを組み立てることなく一般的な箱詰機でも使用することができ、廃棄の手間も掛からないようにすることができる。
【００１３】
また、本発明の包装用箱において、前記第１側板（１）、前記第２側板（２）、前記第３側板（３）、前記第４側板（４）、前記貼着板（５）、前記仕切り板（６）が横一方向に折目を介して順次連設され、前記仕切り板（６）の下端部が前記第２側板（２）及び前記第４側板（４）の下端部より上方に位置していることにより、収容する物品が底面から浮いた状態で保持されるために、包装用箱を載置するときに底面に加わる衝撃がその収容物に伝わるまでに緩和されて破損されにくくすることができる。
【図面の簡単な説明】
【００１４】
【図１】本発明の一実施形態における中仕切付包装用箱を展開した状態の表面図である。
【図２】本発明の一実施形態における中仕切付包装用箱を展開した状態の仕切り板を拡大した表面図である。
【図３】本発明の一実施形態における中仕切付包装用箱を展開した状態からの折り畳み状態図である。
【図４】本発明の一実施形態における中仕切付包装用箱の開蓋状態の斜視図である。
【図５】本発明の一実施形態における中仕切付包装用箱にプレフィルドシリンジを収容した斜視図である。
【発明を実施するための形態】
【００１５】
以下、本発明の実施の形態における中仕切付包装用箱を図面に基づいて説明する。当該中仕切付包装用箱は、食品、飲料、医薬品等を収納した比較的長さ寸法の大きい長尺状物品を収容するものであって、１個又は複数個の仕切り片が包装用箱内に設けられたものである。実施例では、長尺状物品として、予め薬剤が充填された注射器（以下、プレフィルドシリンジという。）を例に説明するが、これに限られるものではない。
【００１６】
また、図１に示す中仕切付包装用箱を展開した状態の表面図を基準として、左方向を上方、右方向を下方、上下方向を横方向とする。
【００１７】
また、折り方については、仕切り板である台紙の裏面を基準として、横方向に連接する各側板の裏面に対して、横方向において、基準面に近づく折り方を内折りとし、離れる折り方を外折りとする。
【００１８】
本発明に係る中仕切付包装用箱は、予め所定の形状に形成された１枚の台紙を、図１に示す中仕切付包装用箱を展開した状態から折目にしたがって予め折り曲げるとともに、所定箇所を貼着し、扁平状態から当該台紙を表裏に逆向きの力を加え引き起こすことで、任意の側板に固着する固着部と、収容空間を仕切る仕切り片を形成するものである。
【００１９】
このように、仕切り板を引き起こすまでは扁平状態としておくことができるので、運搬、保管等に便利である。また、当該扁平状態から表裏に逆向きの力を加え引き起こすだけの簡易な操作で包装用箱として組み立てることができ、一般的な箱詰機を用いてプレフィルドシリンジなどの内容物をすぐに箱詰することができる。
【００２０】
また、仕切り板の内部には、凹状の保持部を有する一つ又は複数の仕切り片を当該仕切り板の横方向である長手方向に沿って形成することで、長尺状物品における長手方向の各部位を保持部により保持し、長尺状物品における上下、前後、左右の全方向に対する緩衝能力を向上させることができる。更に、保持部の形状は、長尺状物品における長手方向の各部位に対応するよう適宜形成されるため、保持能力も向上させることができる。
【実施例１】
【００２１】
本発明に係る中仕切付包装用箱は、一枚の台紙から形成されており、図１に示すような展開図からなるものである。図１は、当該中仕切付包装用箱を展開した状態の表面図である。図２は、図１において仕切り板６を拡大した表面図である。中仕切付包装用箱は展開した状態において、４枚の外周壁を構成する第１側板から第４側板の各側板に相当する右側板１、前側板２、左側板３、後側板４と、さらに貼着板５、仕切り板６が折目ａ、ｂ、ｃ、ｄ、ｅを介して横一方向に順次連設されている。
【００２２】
比較的長さ寸法の大きい長尺状物品であるプレフィルドシリンジＰＳを収容することから、右側板１、前側板２、左側板３、後側板４は、いずれも略矩形状であり、前側板２及び後側板４が、右側板１及び左側板３に比べて横長となっており、形成される収納空間Ｓが略直方体状となる。
【００２３】
右側板１及び左側板３の上辺には、組み立てられた右側板１、前側板２、左側板３、後側板４によって形成される収容空間Ｓの上部の一部を覆う右側板１の上フラップ片１１及び左側板３の上フラップ片３１が折目ｆ、ｇを介して連設されている。また、折目ｆ、ｇは、破断線７から延設されて破断される箇所であり、図４に示すように、蓋フラップ片２１を前側板２から分離するときに、併せて上フラップ片１１が右側板１から分離し、上フラップ片３１が左側板３から分離する。さらに、上フラップ片１１及び上フラップ片３１は、蓋フラップ片２１を前側板２から分離するときに連動して右側板１及び左側板３から分離するように、組み立てられたときに蓋フラップ片２１に貼着されていることが好ましい。そして、右側板１及び左側板３の下辺には、組み立てられた右側板１、前側板２、左側板３、後側板４によって形成される収容空間Ｓの下部の一部を覆う右側板１の下フラップ片１２及び左側板３の下フラップ片３２が折目ｈ、ｉを介して連設されている。
【００２４】
前側板２及び後側板４の上辺には、組み立てられた右側板１、前側板２、左側板３、後側板４によって形成される収容空間Ｓの上部の一部又は全部を覆う前側板２の蓋フラップ片２１及び後側板４の蓋フラップ片４１が折目ｊ，ｋを介して連設されている。また、折目ｊは、破断線７を包含し破断される箇所であり、図４に示すように、前側板２の上辺近傍で円弧状に設けられている破断線７の一部に指を掛けて破断し始めて、蓋フラップ片２１を前側板２から分離して開蓋状態とする。蓋フラップ片４１は、蓋フラップ片２１を前側板２から分離するときに蓋フラップ片２１と繋がっておくように、組み立てられたときに蓋フラップ片２１に貼着されていることが好ましい。そして、前側板２及び後側板４の下辺には、組み立てられた右側板１、前側板２、左側板３、後側板４によって形成される収容空間Ｓの下部の一部を覆う前側板２の底フラップ片２２及び後側板４の底フラップ片４２が折目ｌ、ｍを介して連設されている。
【００２５】
貼着板５は、図３などに示すように、後側板４と仕切り板６の間に連設されており、上下幅が後側板４側より仕切り板６側で連続的に狭くなっており、後側板４側に下底、仕切り板６側に上底を有する略台形状となっている。これにより、貼着板５に連設される仕切り板６の上下幅が前側板２及び後側板４の上下幅より狭くしやすくなって、仕切り板６の下端部が前側板２及び後側板４の下端部より上方に位置することになり、収容空間Ｓに収容されるプレフィルドシリンジＰＳは、上下からの衝撃を受けにくい状態となる。
【００２６】
仕切り板６は、図１などに示すように、貼着板５は、折目ｅを介して連設される。仕切り板６は、組み立て時における仕切り板６の切断線６１及び折目ｏ、ｐ、ｑ、ｒの働きで、後側板４に固着させる第１固着部６２、前側板２に固着させる第２固着部６３及び仕切り片６４に区画される。これによって、折目ａ、ｂ、ｃ、ｄを介して内折りされた右側板１、前側板２、左側板３、後側板４によって形成される収容空間Ｓに仕切ることができるので、プレフィルドシリンジＰＳを安定して収容することができる。
【００２７】
より詳細には、図１及び図２に示すように、本実施形態における仕切り板６は、前側板２及び後側板４における上下寸法より短い８０〜９０％程度の長さであって、横寸法の１１０〜１３０％程度の長さに設定されており、貼着板５における左端から左側に向けて連設される。仕切り板６が前側板２及び後側板４における上下寸法の８０〜９０％程度であるために、組み立てられたときに、仕切り板６の上端部及び下端部が前側板２及び後側板４における上端部及び下端部の間に隙間が生じて、仕切り板６の上端部が前側板２及び後側板４における上端部よりも下方に位置し、仕切り板６の下端部が前側板２及び後側板４における下端部よりも上方に位置するので、収容空間Ｓに収容されるプレフィルドシリンジＰＳは上下からの衝撃を受けにくい状態となる。
【００２８】
そして、仕切り板６の中央近傍に横方向に亘って曲線と直線を組み合わせた複合線からなる切断線６１とにより、仕切り板６は上下に区画される。具体的には、仕切り板６の下側には、貼着板５における左端に折目ｅを介して連設され前側板２に固着される第２固着部６３と第２固着部６３の左端に折目ｑを介して連設され収容空間Ｓを仕切る第一の仕切り片６４が形成される。そして、仕切り板６の上側には、第１固着部６２の一部に折目ｏを介して連設され収容空間Ｓを仕切る第二の仕切り片６４と第二の仕切り片６４の左端に折目ｐを介して連設され後側板４に固着される第１固着部６２が形成される。また、第一の仕切り片６４と第１固着部６２は折目ｒを介して連設されている。さらに、第一及び第二の仕切り片６４の上辺には上方から下方に向かう凹状の保持部６５が形成されているため、プレフィルドシリンジＰＳを保持することができる。
【００２９】
このようにして、展開図が形成される仕切り板６は、図３（ａ）に示すように、折目ｏ、ｑを外折りに、折目ｐ、ｒを内折りにするようにして横方向に切断された切断線６１を介して表裏に逆向きに加えられた力により引き起こされ平面状から立体形状となる。このため、第１固着部６２と第２固着部６３は対向し、第一の仕切り片６４と第二の仕切り片６４も対向することとなる。
【００３０】
そして、次に、図３（ｂ）に示すように、折目ｄ、ｅを内折りにすることにより、後側板４と第１固着部６２が当接するようになり、これらを接着剤等の固定手段により固着する。そして、さらに、図３（ｃ）に示すように、折目ｂ、ｃを内折りにすることにより、前側板２と第２固着部６３が当接するようになり、これらを接着剤等の固定手段により固着する。さらに、折目ａを内折りにすることにより、右側板１と貼着板５が当接するようになり、これらを接着剤等の固定手段により貼着する。これにより、蓋側と底側が閉じられていない中仕切付包装用箱が形成される。
【００３１】
なお、図３においては、組み立てられた形状を理解しやすくするために、仕切り板６を最初に引き起こして平面状から立体上に形成してから、仕切り板６を囲むように右側板１、前側板２、左側板３、後側板４を折っているが、仕切り板６を平面状のままにして仕切り板６を囲むように右側板１、前側板２、左側板３、後側板４を折り畳み、最後に折目ｏ、ｑを外折りに、折目ｐ、ｒを内折りにするようにして横方向に切断された切断線６１を介して表裏に逆向きに加えられた力により引き起こすことでも同様に蓋側と底側が閉じられていない中仕切付包装用箱が形成される。嵩張らないことから、仕切り板６を平面状のままにして仕切り板６を囲むように右側板１、前側板２、左側板３、後側板４を折り畳んだ状態で物流し、プレフィルドシリンジＰＳを収容するときに畳み、接着剤等の固定手段により後側板４と第１固着部６２、前側板２と第２固着部６３、右側板１と貼着板５をそれぞれ貼着又は固着した状態から引き起こして収容空間Ｓを形成することが好ましい。
【００３２】
そして、それぞれの保持部６５は、仕切り板６の上方から下方に向かう凹状に形成されることから、プレフィルドシリンジＰＳの着脱を容易に行うことができるとともに、プレフィルドシリンジＰＳの各部位に対応して形成されるので、隙間、緩み等がない状態で確実に保持することができる。すなわち、プレフィルドシリンジＰＳは、それぞれの仕切り板により、横方向からも衝撃を受けにくい状態となる。
【００３３】
本実施例においては、図５に示すように、二つの保持部６５によりプレフィルドシリンジＰＳの先端部及び後端部が保持される。
【００３４】
そして、図５に示すように、プレフィルドシリンジＰＳを保持部６５に保持させた後に、上フラップ片１１・３１、蓋フラップ片２１・４１を内折りにして貼着し、下フラップ片１２・３２、底フラップ片２２・４２を内折りにして貼着することにより、プレフィルドシリンジＰＳを包装することができる。また、収容空間ＳにプレフィルドシリンジＰＳの内容物等を記載した説明書等の図示しない添付書類も収納することができる。
【００３５】
以上、説明した本発明に係る中仕切付包装用箱によれば、食品、飲料、医薬品等を収納した比較的長さ寸法の大きい長尺状物品を仕切り片にて保持することで、当該長尺状物品の上下、前後、左右のいずれの方向からの外部振動に対しても安定した状態となり、高い緩衝機能を備えることができる。
【００３６】
更に、上述した組み立て順序により、仕切り板６を内包するように折目ａからｅにしたがって各構成板を折曲し、表裏に逆向きの力を加え引き起こすことでそれぞれの仕切り片６４を形成することができるので、自動製函機（サックマシン）で作製できるものとなり、量産化がし易いものとなり、さらに、収容物を収容してから蓋片及び底片を連続して閉じて収容物を封じることができるために、一般的な箱詰機でも使用することができる。また、廃棄するときには収容物を取り出して、表裏に逆向きの力を加え引き起こすときとは反対に折り畳んだ状態にすることができるので、嵩張らずに廃棄することができる。
【符号の説明】
【００３７】
１・・・右側板
１１・・・上フラップ片
１２・・・下フラップ片
２・・・前側板
２１・・・蓋フラップ片
２２・・・底フラップ片
３・・・左側板
３１・・・上フラップ片
３２・・・下フラップ片
４・・・後側板
４１・・・蓋フラップ片
４２・・・底フラップ片
５・・・貼着板
６・・・仕切り板
６１・・・切断線
６２・・・第１固着部
６３・・・第２固着部
６４・・・仕切り片
６５・・・保持部
７・・・破断線
Ｓ・・・収容空間
ＰＳ・・・プレフィルドシリンジ
【図１】
2019001468.tif 000003
【図２】
2019001468.tif 000004
【図３】
2019001468.tif 000005
【図４】
2019001468.tif 000006
【図５】
2019001468.tif 000007